(57)【特許請求の範囲】
【請求項１】
正面ガイド板と、前記正面ガイド板に対向する背面ガイド板と、前記正面ガイド板と前記背面ガイド板の側方に設けられた一対の側板と、底板とで収納空間を形成した筐体と、
前記正面ガイド板に設けられた媒体搬入口に配置されたフィードローラと、前記フィードローラに対向配置されたプレッシャローラと、媒体の搬入方向の直交方向である軸方向に配置された前記フィードローラの回転軸に固定され、複数の舌片が埴設された舌片ローラとを有する集積機構とを備え、前記底板上に媒体を厚さ方向に直接積み重ねて収納する媒体収納構造であって、
前記フィードローラの前記背面ガイド板側の外周面を、前記正面ガイド板から収納空間内に突出させ、前記収納空間内に突出させた突出部の外周面より収納空間側に配置されたガード面を有するガード部を設け、
前記ガード部の前記背面ガイド板側の対向面と、前記背面ガイド板との間の距離を、収納する媒体の規格公差の上限に所定の余裕代を加えた距離としたことを特徴とする媒体収納構造。
【請求項２】
請求項１において、
前記舌片の先端部が、前記ガード部の対向面から突出しながら回転することを特徴とする媒体収納構造。
【請求項３】
請求項２において、
前記舌片の先端部が、前記底板上を摺動することを特徴とする媒体収納構造。
【請求項４】
請求項１において、
前記フィードローラの回転軸と平行に配置された前記プレッシャローラの回転軸に回動可能に支持され、ストッパに自重により当接する係止部と、前記フィードローラとプレッシャローラの挟持部の搬入方向の下流側に配置された受部とを有する逆流防止レバーを設けたことを特徴とする媒体収納構造。
【請求項５】
正面ガイド板と、前記正面ガイド板に対向する背面ガイド板と、前記正面ガイド板と前記背面ガイド板の側方に設けられた一対の側板と、底板とで収納空間を形成した筐体と、
前記正面ガイド板に設けられた媒体搬入口に配置されたフィードローラと、前記フィードローラに対向配置されたプレッシャローラと、媒体の搬入方向の直交方向である軸方向に配置された前記フィードローラの回転軸に固定され、複数の舌片が埴設された舌片ローラとを有する集積機構とを備え、前記底板上に媒体を厚さ方向に直接積み重ねて収納する媒体収納構造であって、
前記フィードローラの前記背面ガイド板側の外周面を、前記正面ガイド板から収納空間内に突出させ、前記収納空間内に突出させた突出部の外周面より収納空間側に配置されたガード面を有するガード部を設け、
前記正面ガイド板側の、前記フィードローラと前記底板との間に、前記正面ガイド板と前記ガード部のガード面の前記底板側の面とにより凹部を形成したことを特徴とする媒体収納構造。
【発明の詳細な説明】
【技術分野】
【０００１】
本発明は、現金自動預払機等の自動取引装置に装着され、払込書等の１枚の紙葉からなる媒体を底板上に厚さ方向に積み重ねて収納する媒体収納構造に関する。
【背景技術】
【０００２】
従来の媒体収納構造は、正面ガイド板、正面ガイド板に対向する背面ガイド板、正面ガイド板と背面ガイド板の側方に設けられた一対の側板、天板、底板で収納空間を形成した筐体と、正面ガイド板に設けられた媒体搬入口に配置されたフィードローラと、フィードローラの底板側に対向配置された分離ローラと、分離ローラの回転軸にワンウェイクラッチを介して取付られ、複数の舌片が埴設された舌片ローラとを有する集積機構と、天板と底板の間に昇降可能に設けられ、紙葉状の媒体を厚さ方向に積み重ねて集積するステージと、集積された媒体の正面ガイド板側の上面を検知する上面検知センサを備え、分離ローラの回転軸に設けられた舌片ローラの舌片の先端を、正面ガイド板から突出させながら回転させ、搬入された媒体の後端を叩き落してステージ上に集積し、一定枚数の媒体の集積時に上面検知センサが媒体の上面を検知している場合は、折れクセの強い媒体が集積されたと判定し、舌片の先端部で媒体の後端を押さえつけて後端部の折れクセを矯正し、舌片の先端部で媒体の後端を押さえつけても上面検知センサが媒体の上面を検知しているときは、ジャム発生の可能性があると判定し、ステージを一定量降下させて媒体の集積を継続している（例えば、特許文献１参照。）。
【０００３】
また、ステージ上に集積された媒体の搬入方向の中央部の高さを検出する高さ検出レバーを設け、搬入される媒体の厚さおよび長さに応じて、ステージの昇降量を設定して媒体の反転や詰りを防止しているものもある（例えば、特許文献２参照。）。
【先行技術文献】
【特許文献】
【０００４】
【特許文献１】特開２００９−０４６２９８号公報（段落００１１−００１６、００２６、００４１−００４４、第６図、第８図）
【特許文献２】特開平６−２４７６０６号公報（段落００１３−００２１、第１図、第４図）
【発明の概要】
【発明が解決しようとする課題】
【０００５】
一般に、銀行等の金融機関の支店やコンビニエンスストア等の店舗に設置された現金自動預払機は、利用者との間での取引処理を自動で行うために、取引選択画面や各種の入力画面等を表示する表示画面を有する操作表示部、利用者の取引カードのカード情報を読み書きすると共に明細票を発行するカードユニット、利用者の通帳の通帳情報を読み書きすると共に取引内容等を通帳に記帳する通帳ユニット、紙幣の入出金を行う紙幣ユニット、硬貨の入出金を行う硬貨ユニット等が設けられており、利用者の取引における操作性を向上させるために取引カードや通帳の挿入口、操作表示部、紙幣や硬貨の入出金口は正面側に集中して配置されるため、各ユニット等の小型化が望まれている。
【０００６】
また、コンビニエンスストア等に設置された現金自動預払機の中には、利用者が持参した水道やガス、電気、電話等の料金の払込書や、ゆうパック（日本郵政株式会社の登録商標）の料金の払込書、通信販売等のカタログや広告に添付された申込書を兼ねた商品代金の払込書等の記入事項を読取って、その記入事項に基づく払込取引を自動で行っているものがある。
【０００７】
しかしながら、上述した従来の特許文献１および特許文献２の技術においては、媒体収納構造が昇降可能なステージを備えているため、上記したジャム発生を防止する制御を行うことが可能であるが、ステージを昇降させる昇降装置を必要とし、処理済の払込書を収納する媒体収納庫が大型化し、その媒体収納庫を装備した媒体処理ユニットの小型化を図ることが困難になるという問題が生ずる。
【０００８】
このため、筐体の底板上に媒体を直接積み重ねて収納する媒体収納庫を用い、底板上に集積され収納された媒体の高さを上面検知センサまたは高さ検出レバーで検出し、底板上に収納された媒体がフル状態であることを検出したときに、現金自動預払機の可動を停止させるようにすれば、媒体収納庫を装備した媒体処理ユニットの小型化を図ることが可能になる。
【０００９】
一方、上記した各事業者が発行する払込書は、挿入方向を特定することが容易なように長方形で形成され、その短手方向および長手方向の長さは所定の公差（例えば、±１ｍｍ）を許容した上で規格化されているが、通信販売のカタログに添付された払込書等のように、カタログ上に切取線を設けて印刷された払込書の場合は、カタログ印刷時の印刷ズレや切取時の切断ミスによって、規格公差の上限を超えた規格外の払込書が媒体処理ユニットに挿入される場合がる。
【００１０】
このような規格外の払込書が媒体処理ユニットに挿入された場合に、これを利用者に返却すると、却って払込書による自動取引の普及を阻害することになるため、利用者の利便性を考慮して規格外の払込書の取扱を可能にすると、規格外の払込書による処理の終了後に、その払込書を媒体収納庫に収納したときに、払込書の搬入方向の後端を舌片の先端部で叩き落して底板上に集積したときに、規格外の払込書の前端と後端がそれぞれ背面ガイド板と正面ガイド板に当接して突っ張った状態になり、中央部が天板側に凸の湾曲した媒体が収納されてしまうことになる。
【００１１】
この場合に、フル状態を検出する手段として、特許文献２のような集積された媒体の搬入方向の中央部の高さを検出するフル検出レバーを用いると、筐体内に中央部が天板側に凸の湾曲した媒体が収納されたときに、その湾曲媒体の頂部付近をフル検出レバーが検出すると、収納枚数がその媒体収納庫に設定された所定の収納枚数に達しない場合であっても、フル状態の誤検出によって現金自動預払機の可動が停止し、現金自動預払機の可動効率を低下させるという問題がある。
【００１２】
このことは、処理済の払込書を収納する媒体収納庫が底の浅い筐体で形成されている場合は、１枚の湾曲媒体が収納されたときに、フル検出レバーがフル状態を検出してしまう場合があるので、特に問題になる。
【００１３】
また、媒体収納庫が底の深い筐体で形成されている場合であっても、既に収納された媒体の枚数が少ないときに、中央部が天板側に凸の湾曲媒体が収納されたときにフル検出レバーがフル状態を検出しなかったとしても、その上に収納された媒体によって突っ張った状態の湾曲媒体の中央部を押し潰す程の力が作用しない場合や、既に収納された媒体の枚数が多いときに湾曲媒体が収納された場合には、その媒体収納庫に設定された所定の収納枚数に達していないときに、フル検出レバーがフル状態を検出してしまい、上記した問題を生じさせることになる。
【００１４】
本発明は、上記の問題点を解決するためになされたもので、規格公差の上限を超えた規格外の媒体の底板上への平坦な状態での収納を可能にする媒体収納構造を提供することを目的とする。
【課題を解決するための手段】
【００１５】
本発明は、上記課題を解決するために、正面ガイド板と、前記正面ガイド板に対向する背面ガイド板と、前記正面ガイド板と前記背面ガイド板の側方に設けられた一対の側板と、底板とで収納空間を形成した筐体と、前記正面ガイド板に設けられた媒体搬入口に配置されたフィードローラと、前記フィードローラに対向配置されたプレッシャローラと、媒体の搬入方向の直交方向である軸方向に配置された前記フィードローラの回転軸に固定され、複数の舌片が埴設された舌片ローラとを有する集積機構とを備え、前記底板上に媒体を厚さ方向に直接積み重ねて収納する媒体収納構造であって、前記フィードローラの前記背面ガイド板側の外周面を、前記正面ガイド板から収納空間内に突出させ、前記収納空間内に突出させた突出部の外周面より収納空間側に配置されたガード面を有するガード部を設け、前記ガード部の前記背面ガイド板側の対向面と、前記背面ガイド板との間の距離を、収納する媒体の規格公差の上限に所定の余裕代を加えた距離としたことを特徴とする。
【発明の効果】
【００１６】
これにより、本発明は、フィードローラと底板との間に、正面ガイド板とガード部のガード面とによって規格公差の上限を超える規格外の払込書の収納を可能にする凹部を形成することができ、規格外の払込書が搬入されたとしても、その払込書を平坦な状態で底板上に直接収納することができるという効果が得られる。
【図面の簡単な説明】
【００１７】
【図１】実施例の現金自動預払機の外観を示す説明図
【図２】実施例の媒体処理装置の構成を示す説明図
【図３】実施例の媒体収納構造の側面を示す説明図
【図４】実施例の集積機構の外観を示す説明図
【図５】実施例の媒体収納構造による払込書の収納動作を示す説明図
【図６】実施例の媒体収納構造による払込書の収納動作を示す説明図
【図７】実施例の媒体収納構造による払込書の収納動作を示す説明図
【図８】実施例の媒体収納構造による規格外の払込書の収納動作を示す説明図
【図９】実施例の媒体収納庫のフル状態を示す説明図
【発明を実施するための形態】
【００１８】
以下に、図面を参照して本発明による媒体収納構造および媒体処理ユニットの実施例について説明する。
【実施例】
【００１９】
図１において、１は本体装置としての現金自動預払機であり、銀行等の金融機関の支店やコンビニエンスストア等の店舗に設置され、利用者が選択した取引の入力を受付け、これを基に図示しないホストコンピュータと交信して利用者との取引処理を自動で行う機能等を有している。
【００２０】
２は操作表示部であり、現金自動預払機１の正面に設けられ、ＬＣＤ等の表示画面とタッチパネル等の入力手段との組合せで構成されており、表示画面に取引選択画面や各種の入力画面、利用者の処置を促す画面等を表示する他、入力手段により利用者からの入力を受付ける。
【００２１】
３はカードユニットであり、挿入された利用者のキャッシュカードやクレジットカード等の取引カードの磁気ストライプやＩＣチップ等に記録されている取引カードの金融機関名や支店名、口座番号、口座科目等の口座情報等からなるカード情報を読み書きする機能を有すると共に、明細票等に取引内容等を印字する機能を有している。
【００２２】
４は通帳ユニットであり、挿入された利用者の通帳の磁気ストライプやＩＣチップ等に記録されている通帳情報を読み書きする機能を有すると共に取引内容等を利用者の通帳に記帳する機能を有しており、その正面側には利用者の通帳の挿入を受入れると共に、記帳済の通帳を排出するための通帳吸排口４ａが設けられている。
【００２３】
５は紙幣ユニットであり、入金取引時等に利用者が投入した紙幣を受入れ、これを鑑別および計数して紙幣収納部に収納し、出金取引時等に紙幣収納部から利用者に支払う紙幣を繰出し、これを計数して利用者に引渡す機能を有している。
【００２４】
６は硬貨ユニットであり、入金取引時等に利用者が投入した硬貨を受入れ、これを鑑別および計数して硬貨収納部に収納し、出金取引時等に硬貨収納部から利用者に支払う硬貨を繰出し、これを計数して利用者に引渡す機能を有している。
【００２５】
７は媒体処理ユニットであり、利用者が持参した１枚の紙葉からなる媒体としての払込書の記入事項を読取る機能等を有しており、その正面側には利用者の払込書の挿入を受入れると共に、読取不能の払込書を利用者に返却するための媒体挿入口７ａが設けられている。
【００２６】
通帳ユニット４は、図２に示すように、通帳の挿入および排出を行うための通帳吸排口４ａ、通帳吸排口４ａを開閉するシャッタ１０、挿入された通帳を幅寄せして搬送状態を整位する幅寄せ部１１、通帳の磁気ストライプ等に記録されている口座番号や記帳最終ページとその最終行等の通帳情報を読み書きする磁気ヘッドを有する読取書込部１２、通帳を搬送するための一対のローラを対向配置した複数の正逆回転可能に構成された搬送ローラ１３を有する通帳搬送路１４が設けられており、通帳搬送路１４の通帳吸排口４ａの近傍には、通帳吸排口４ａに印字ページを開いた状態でセットされた通帳の幅（挿入方向と直交する方向の長さをいう。）を検出するための図示しない幅検出センサ、開いた状態で挿入された通帳の挿入方向の長さを検出する図示しない長さ検出センサ等が設けられ、通帳搬送路１４の読取書込部１２の挿入方向の下流側には、通帳吸排口４ａから開いた状態で受入れた通帳のページをめくるページめくり部１５、めくられたページのページマークを読取るページマーク読取部１６が設けられている。
【００２７】
１８は印字ユニットであり、通帳搬送路１４の挿入方向の下流端に直線的に連結する通帳ユニット４内の印字搬送路１９に配置され、通帳ユニット４の通帳吸排口４ａから挿入された通帳、および媒体処理ユニット７の媒体挿入口７ａから挿入された払込書の印字面に所定の記載内容を印字するための印字ヘッド２０およびこれに印字搬送路１９を挟んで対向配置されたプラテン２１が設けられている。
【００２８】
また、印字ヘッド２０の両側には、印字搬送路１９を搬送される払込書および通帳からなる印字対象媒体の厚さに応じた挟持搬送を可能にした一対のローラからなる正逆回転可能に構成された搬送ローラ２２が配置されている。
【００２９】
２３は通帳回収部であり、通帳吸排口４ａから排出され、取忘れられた通帳を収納して回収する収納部であって、印字搬送路１９の挿入方向の下流端に配置されている。
【００３０】
媒体処理ユニット７は、払込先の口座番号や払込金額等が記入された払込書を取扱うユニットであって、払込書を挿入するための媒体挿入口７ａ、挿入された払込書の記入内容等を読取るスキャナ部２５、払込取引の終了後に印字ユニット１８で取引日時や取引店舗名等の記載内容が印字された処理済の払込書を収納する媒体収納庫２６ａ、２６ｂ、および払込書を搬送するための一対のローラを対向配置した複数の正逆回転可能に構成された搬送ローラ２７を有する媒体搬送路２８等が設けられており、媒体搬送路２８の媒体挿入口７ａの反対側の端部は、ページマーク読取部１６と印字ユニット１８との間の通帳搬送路１４と印字搬送路１９との連結部に合流している。
【００３１】
また、印字搬送路１９および媒体搬送路２８の各分岐部には、通帳や払込書の搬送方向を切替える切替ブレード２９ａ〜２９ｄが設けられている。
【００３２】
本実施例の媒体処理装置は、通帳ユニット４および通帳ユニット４に媒体搬送路２８で連結された媒体処理ユニット７で構成され、印字対象媒体である払込書および通帳を１つの印字ユニット１８を用いて印字処理する機能を有しており、通帳ユニット４およびその上に隣接して併設された媒体処理ユニット７が、現金自動預払機１に並べて装着されている。
【００３３】
また、本実施例の媒体収納庫２６ａ、２６ｂは、その筐体３１の深さが異なる以外は同様に構成され、媒体収納庫２６ａの深さは浅く、媒体収納庫２６ｂの深さは深く形成されており、浅い媒体収納庫２６ａには比較的利用頻度の少ない処理済の払込書を少数枚（例えば５０枚）、深い媒体収納庫２６には比較的利用頻度の多い処理済の払込書を多数枚（例えば１５０枚）収納するように設定されている。
【００３４】
以下に、浅い媒体収納庫２６ａの構成について、図３、図４を用いて説明する。
【００３５】
媒体収納庫２６ａの筐体３１は、正面ガイド板３１ａ、正面ガイド板３１ａに対向する背面ガイド板３１ｂ、正面ガイド板３１ａと背面ガイド板３１ｂの側方に設けられた一対の側板３１ｃ、天板３１ｄおよび底板３１ｅで構成されている。
【００３６】
なお、図４は紙面手前側の側板３１ｃを取除いた状態で示した側面図であり、天板３１ｄは、払込書の搬入方向の直交方向の中央部で切断した断面を示し、そのストッパ５１（後述）の近傍のみを部分断面で示したものである。
【００３７】
図３、図４において、３２は下ガイド板３２ａと上ガイド板３２ｂからなる一対のガイド板を所定の間隔で対向配置した搬送ガイドであり、筐体３１の、図３に矢印で示す払込書の搬入方向の上流側で、その天板３１ｄ側に配置され、媒体搬送路２８の切替ブレード２９ｄが設けられた分岐部（図２参照）と筐体３１の正面ガイド板３１ａとの間を接続する搬送路を形成しており、正面ガイド板３１ａとの接続部が媒体搬入口３３として機能する。
【００３８】
本実施例の下ガイド板３２ａは、正面ガイド板３１ａと一体に形成され、上ガイド板３２ｂは天板３１ｄと一体に形成されている。
【００３９】
また、正面ガイド板３１ａ、背面ガイド板３１ｂ、一対の側板３１ｃ、天板３１ｄおよび底板３１ｅで形成された空間が、媒体搬入口３３から搬入された処理済の払込書を収納する収納空間３４として機能する。なお、本実施例の払込書は、その短手方向を搬入方向として搬入される。
【００４０】
３５は集積機構であり、搬送ガイド３２に沿って搬入方向に搬送され、媒体搬入口３３から放出された処理済の払込書を、収納空間３４の底板３１ｅ上に、払込書の厚さ方向に直接積み重ねて集積する機能を有しており、フィードローラ３６、プレッシャローラ３７、舌片ローラ３８等で構成されている。
【００４１】
本実施例の集積機構３５は、並設されたそれぞれ２つのフィードローラ３６とプレッシャローラ３７と舌片ローラ３８等とで構成される。
【００４２】
フィードローラ３６は、筐体３１の正面ガイド板３１ａの上方に形成された媒体搬入口３３の底板３１ｅ側に配置され、その天板３１ｄ側の外周面は、下ガイド板３２ａから上ガイド板３２ｂ側に突出し、その背面ガイド板３１ｂ側の外周面は正面ガイド板３１ａから背面ガイド板３１ｂ側、つまり収納空間３４内に突出しており、搬入方向の直交方向（軸方向という。）に配置された回転軸３６ａを中心に、媒体搬送路２８の搬送ローラ２７との共通の駆動源によって、集積回転方向（図３において、時計方向）およびその逆方向（反集積回転方向という。）に回転駆動される。
【００４３】
プレッシャローラ３７は、フィードローラ３６の天板３１ｄ側に対向配置され、フィードローラ３６を押圧して払込書を挟持して搬送するよう構成されており、フィードローラ３６の回転軸３６ａと平行に配置された回転軸３７ａを中心にフィードローラ３６または払込書との摩擦力により集積回転方向（図３において、反時計方向）およびその逆方向に従動回転する。
【００４４】
４１はガード部であり、フィードローラ３６の収納空間３４内に突出させた突出部の、搬入方向の直交方向の両側、つまりフィードローラ３６の軸方向の両側の面に近接した正面ガイド板３１ａの部位を突出させて形成され、その背面ガイド板３１ｂ側に形成された対向面４１ａは、図３に示す所定の距離Ｌ１を介して、背面ガイド板３１ｂに対向しており、対向面４１ａを含むガード部４１の外形面であるガード面はフィードローラ３６の突出部の外周面より半径方向外側、つまり収納空間側に配置され、収納空間３４内に収納された払込書の正面ガイド板３１ａ側の端部（以下、単に後端部という。）のフィードローラ３６の外周面への接触による巻込みを防止する機能を有している。
【００４５】
本実施例のガード部４１の対向面４１ａと、背面ガイド板３１ｂとの間の所定の距離Ｌ１は、収納する払込書の短手方向長さの規格公差（本実施例では、±１ｍｍ）の上限に、所定の余裕代（本実施例では、１ｍｍ）を加えた距離に設定されている。
【００４６】
また、図３に示す、正面ガイド板３１ａと背面ガイド板３１ｂとの間の所定の距離Ｌ２は、規格公差の上限を超えた規格外の払込書の中で、想定される最も長い搬入方向の長さを有する払込書の長さに、所定の余裕代（本実施例では、１ｍｍ）を加えた距離に設定されている。
【００４７】
これによって、正面ガイド板３１ａ側の、フィードローラ３６と底板３１ｅとの間に、正面ガイド板３１ａとガード部４１のガード面の底板３１ｅ側の面とによる規格外の払込書の収納を可能にする凹部が形成される。
【００４８】
舌片ローラ３８は、天然ゴムや合成ゴム等の弾性材料で形成された舌片３８ａを、その外周面の全周に、外周面から半径方向外側に放射状に等ピッチで埴設したローラであって、ネジ等の固定手段でフィードローラ３６の回転軸３６ａに固定されてフィードローラ３６の軸方向の中央側に配置されており、回転軸３６ａの集積回転方向の回転に伴って、その舌片３８ａの先端部をカード部４１の対向面４１ａから突出させた状態で、フィードローラ３６と共に回転し、フィードローラ３６とプレッシャローラ３７の挟持部から放出された払込書の後端部を舌片３８ａの先端部で叩き落して底板３１ｅ上に集積し、当該払込書の後端部上を摺動する舌片３８ａの先端部によって当該払込書の後端を正面ガイド板３１ａに整位させる機能を有している。
【００４９】
本実施例の舌片３８ａの先端の回転軌跡は、収納空間３４内に放出された払込書の前端が背面ガイド板３１ｂに衝突したときに、その先端部が、払込書の後端部を叩くことが可能なように形成される。
【００５０】
また、図３は、浅い媒体収納庫２６ａであるので、収納空間に払込書Ｓが収納されていない空の状態であっても、舌片３８ａの先端部が底板３１ｅ上を摺動するように構成されている。
【００５１】
なお、本実施例の舌片ローラ３８を搬送ガイド３２の下側に配置されたフィードローラ３６の回転軸３６ａに固定しているのは、払込書の集積時に舌片ローラ３８を確実に集積回転方向に回転させるためである。仮にプレッシャローラ３７を搬送ガイド３２の下側に配置してその回転軸３７ａに舌片ローラ３８を固定したとすれば、フィードローラ３６の外周面との摩擦力により従動回転するプレッシャローラ３７に、その摩擦係数の低下による滑り等が生じた場合に、舌片ローラ３８が回転しなくなり、舌片３８ａの先端部による叩き落しの効果が損なわれることになるからである。
【００５２】
４３はフル検出レバーであり、天板３１ｄ上に立設された支持部材４４ａに設けられた回転支点４４を中心に回動可能に支持されたＬ字状部材であって、その底板３１ｅ側の角部である検出部４３ａを、天板３１ｄのフィードローラ３６の軸方向の中央部に形成された窓部４５から収納空間３４に突出させた状態で、窓部４５の正面ガイド板３１ａ側の角部である支持部４５ａに自重により当接して支持されている。
【００５３】
また、フル検出レバー４３の検出部４３ａの天板３１ｄ側には、検出板４３ｂが設けられており、底板３１ｅ上に収納された払込書の最上位の払込書の上面の搬入方向の中央部に、検出部４３ａが自重により当接したときに、その払込書の中央部の収納高さに応じて上昇する検出板４３ｂをフル検出センサ４６が検出したときに、媒体収納庫２６ａのフル状態が検出される。
【００５４】
フル検出センサ４６は、天板３１ｄ上に配置されたコの字状の支持部材の開口部４６ａを光軸が通過するように発光部と受光部とを対向配置した光学式センサであって、発光部からの光をフル検出レバー４３の検出板４３ｂが遮ったことを受光部で検出して、媒体収納庫２６ａのフル状態を検出する機能を有している。
【００５５】
５０は逆流防止レバーであり、プレッシャローラ３７の軸方向の端部側に配置された「く」の字状部材であって、プレッシャローラ３７の回転軸３７ａを挟んだフィードローラ３６の反対側で回転軸３７ａの背面ガイド板３１ｂ側には係止部５０ａが形成され、その係止部５０ａの回転軸３７ａを挟んだ反対側には受部５０ｂが形成されており、天板３１ｄの収納空間３４上に立設されたストッパ５１に、係止部５０ａを自重により当接させて係止され、フィードローラ３６の軸方向の端部側に設けられたガード部４１に形成された矩形の切欠部５２（図４参照）に受部５０ｂを挿入した状態で、プレッシャローラ３７の回転軸３７ａに回動可能に支持されており、フィードローラ３６とプレッシャローラ３７の挟持部の搬入方向の下流側に配置された受部５０ｂに、収納空間３４から搬送ガイド３２に進入しようとする払込書の後端を当接させて、払込書の搬送ガイド３２への流出を防止する機能を有している。
【００５６】
以下に、図２および図５ないし図９を用いて、本実施例の印字ユニット１８による印字処理および媒体処理ユニット７による浅い媒体収納庫２６ａへの処理済の払込書の収納処理について説明する。
【００５７】
なお、以下に示す各動作は、媒体処理装置の図示しない制御部が、図示しない記憶部に格納されているプログラムによって、上記した各部を制御して実行するものである。
【００５８】
また、以下の説明においては、印字対象媒体を払込書（以下、払込書Ｓと記す。）として説明する。
【００５９】
本実施例の媒体収納庫２６ａのフル検出レバー４３および逆流防止レバー５０の初期状態は、図３に示す状態になっている。
【００６０】
利用者が、払込書Ｓを媒体処理ユニット７の媒体挿入口７ａにセットすると、制御部は、その払込書Ｓを媒体搬送路２８によってスキャナ部２５へ搬送し、スキャナ部２５によって払込書Ｓの記入内容等を読取る。
【００６１】
このとき、記入内容等が読み取れなかった場合は、制御部は搬送ローラ２７を逆転させ、払込書Ｓを媒体挿入口７ａへ搬送して利用者に返却する。
【００６２】
払込書Ｓの記入内容等を読取った制御部は、その記入内容を現金自動預払機１の図示しない主制御部へ送信し、主制御部が図示しないホストコンピュータと交信して払込書Ｓの記入内容に基づく払込取引を実行し、払込取引の処理が終了すると、主制御部は取引日時や取引店舗名等の所定の記載内容を添付した印字指令を制御部へ送信する。
【００６３】
印字指令を受信した制御部は、所定の記載内容を払込書Ｓの印字面に印字するために、その払込書Ｓを媒体搬送路２８によって印字ユニット１８の方向へ搬送する。
【００６４】
このとき、媒体搬送路２８の搬送ローラ２７と共通の駆動源により駆動されるフィードローラ３６の回転軸３６ａの回転方向は、反集積回転方向となっており、例えば図７または図８に示すように、底板３１ｅ上に払込書Ｓが既に収納されている場合は、回転軸３６ａに固定された舌片ローラ３８が反集積回転方向に回転するため、収納された払込書Ｓの後端部が舌片３８ａの先端部によって持上げられ、舌片３８ａの反集積回転方向の回転に伴って払込書Ｓの後端が媒体搬入口３３の方向へ導かれるが、本実施例の媒体搬入口３３には、フィードローラ３６とプレッシャローラ３７の挟持部の搬入方向の下流側に配置された受部５０ｂを有する逆流防止レバー５０が、その係止部５０ａをストッパ５１に係止された状態で待機しているので、媒体搬入口３３の方向へ導かれた払込書Ｓの後端（払込書Ｓの正面ガイド板３１ａ側の払込書端をいう。）が受部５０ｂに当接し、フィードローラ３６とプレッシャローラ３７とに挟持されて搬入方向の逆方向に搬送されることがないため、払込書Ｓの搬送ガイド３２内への逆流が防止される。
【００６５】
そして、制御部は、払込書Ｓを媒体搬送路２８から印字搬送路１９へ搬送し、払込書Ｓを搬送ローラ２２に挟持させてプラテン２１上の所定の印字位置へ搬送して停止させ、印字ヘッド２０を、搬送方向の直交方向である印字方向に移動させながら払込書Ｓ上に所定の記載内容を印字する。
【００６６】
払込書Ｓへの印字を終えた制御部は、その払込書Ｓが比較的利用頻度の少ない払込書Ｓの場合は、印字ユニット１８の印字搬送路１９および媒体処理ユニット７の媒体搬送路２８の各搬送ローラ２２、２７を逆転させて、処理済の払込書Ｓを媒体挿入口７ａの方向へ搬送し、切替ブレード２９ｄにより搬送方向を媒体収納庫２６ａの方向へ切替えて媒体収納庫２６ａへ搬送し、搬送ガイド３２に案内された払込書Ｓの搬送方向の前端をフィードローラ３６とプレッシャローラ３７との間に挟持させる。
【００６７】
この媒体収納庫２６ａへの搬送時には、媒体搬送路２８の搬送ローラ２７と共通の駆動源により駆動されるフィードローラ３６の回転軸３６ａの回転方向は、集積回転方向となっており、舌片ローラ３８も集積回転方向に回転している。
【００６８】
払込書Ｓの搬送方向の前端がフィードローラ３６とプレッシャローラ３７との間に挟持されると、その払込書Ｓは集積回転方向に回転しているフィードローラ３６によって搬入方向に搬入され、その前端が逆流防止レバー５０の受部５０ｂに衝突すると、図５に示すように、逆流防止レバー５０はプレッシャローラ３７の回転軸３７ａを中心に払込書Ｓの前端に押されて受部５０ｂが収納空間３４側に回動し、更に搬入方向に搬送されて、その前端がフル検出レバー４３に衝突すると、フル検出レバー４３は回転支点４４を中心に払込書Ｓの前端に押されて天板３１ｄ側に回動する。
【００６９】
このとき、フル検出レバー４３の検出板４３ｂが、瞬間的にフル検出センサ４６の光軸を遮るが、本実施例の制御部によるフル状態の検出は、所定の時間フル検出センサ４６の光軸遮られることによって判定されるので、フル状態の誤検出が生ずることはない。
【００７０】
そして、フィードローラ３６とプレッシャローラ３７による払込書Ｓの挟持が解除されると、図６に示すように、その払込書Ｓは媒体搬入口３３から収納空間３４へ放出され、その前端が背面ガイド板３１ｂに衝突し、払込書Ｓの後端部が集積回転方向に回転している舌片ローラ３８の舌片３８ａの先端部で叩かれながら底板３１ｅ上に落下する。
【００７１】
このとき、逆流防止レバー５０とフル検出レバー４３は、それぞれ自重によってストッパ５１と支持部４５ａの方向へ回動する。
【００７２】
また、本実施例のガード部４１のガード面は、フィードローラ３６の正面ガイド板３１ａからの突出部の収納空間３４側に配置されているので、払込書Ｓの後端がフィードローラ３４に接触して巻込まれることはない。
【００７３】
更に、舌片３８ａの先端部がガード部４１の対向面４１ａから突出しながら回転し、対向面４１ａと背面ガイド板３１ｂとの間の距離Ｌ１が、払込書３の規格公差の上限に所定の余裕代を加えた距離で形成されているので、媒体搬入口３３から放出された払込書Ｓの後端部を舌片３８ａの先端部で確実に叩き落すことができる。
【００７４】
収納空間３４の底板３１ｅ上に落下した払込書Ｓは、図７に示すように、その後端部を摺動する舌片３８ａの先端部との摩擦力によって正面ガイド板３１ａの方向へ引寄せられ、その後端が正面ガイド板３１ａに当接して整位される。
【００７５】
このような収納動作によって、規格内の処理済の払込書Ｓが底板３１ｅ上に集積され収納されている途中で、規格公差の上限を超える規格外の処理済の払込書Ｓ（払込書Ｓｇと記す。）が媒体収納庫２６ａに搬送されてきた場合は、上記図５、図６を用いて説明したのと同様にして、その払込書Ｓｇは、前端で逆流防止レバー５０およびフル検出レバー４３を押し退けながら収納空間３４へ放出され、後端部を舌片３８ａの先端部で叩かれながら底板３１ｅ上または既に収納された最上位の払込書Ｓ上に落下する。
【００７６】
このとき、本実施例の正面ガイド板３１ａと背面ガイド板３１ｂとの間の距離Ｌ２は、想定される最も長い規格外の払込書Ｓｇの長さに所定の余裕代を加えた距離で形成されているので、底板３１ｅ上または最上位の払込書Ｓ上に落下した規格外の払込書Ｓｇの前端と後端がそれぞれ正面ガイド板３１ａと背面ガイド板３１ｂに当接した状態で突っ張ることはなく、払込書Ｓｇの搬入方向の中央部が天板３１ｄ側に凸の湾曲をすることを防止して、湾曲した払込書Ｓｇの頂部がフル検出レバー４３の検出部４３ａを押上げることによるフル状態の誤検出を防止することができる。
【００７７】
収納空間３４の底板３１ｅ上に落下した払込書Ｓｇは、図８に示すように、その後端部上を摺動する舌片３８ａの先端部との摩擦力によって正面ガイド板３１ａの方向へ引寄せられ、規格内の払込書Ｓと同様に、平坦な状態で後端を正面ガイド板３１ａに当接させて整位される。
【００７８】
この場合に、浅い媒体収納庫２６ａの設けられた舌片ローラ３８の舌片３８ａの先端部は、底板３１ｅ上を摺動するように構成されているので、空の収納空間３４に放出された最初の払込書Ｓが、規格外の払込書Ｓｇであったとしても、その払込書Ｓｇの後端部上を舌片３８ａの先端部が摺動し、払込書Ｓｇを平坦な状態で後端を正面ガイド板３１ａに当接させた状態で収納することができる。
【００７９】
このようにして、規格内の払込書Ｓおよび規格外の払込書Ｓｇが順次に底板３１ｅ上に収納され、その収納高さが高くなってフル検出レバー４３の検出部４３ａが自重によって最上位の払込書Ｓに当接するようになると、その収納高さに応じてフル検出レバー４３の検出板４３ｂが天板３１ｄ側に移動して行き、検出板４３ｂの端部がフル検出センサ４６の光軸を遮ると、制御部は所定の時間の経過後に、媒体収納庫２６ａがフル状態なったことを認識し、フル検出通知を現金自動預払機１の主制御部へ送信し、これを受信した主制御部は、現金自動預払機１の可動を停止させる。
【００８０】
上記のようにして、本実施例の媒体収納構造による規格外の払込書Ｓｇを含む払込書Ｓの収納動作が行われる。
【００８１】
なお、上記においては、浅い媒体収納庫２６ａを例にその構造および収納動作等について説明したが、深い媒体収納庫２６ｂの場合も同様である。
【００８２】
この深い媒体収納庫２６ｂの場合は、舌片３８ａの先端部が底板３１ｅ上を摺動することはないが、規格内の払込書Ｓおよび規格外の払込書Ｓｇを順次に底板３１ｅ上に集積していき、その最上位の払込書Ｓの上面がフル検出レバー４３の検出部４３ａに接近したときに、舌片３８ａの先端部が最上位の払込書Ｓ上を摺動し、規格外の払込書Ｓｇが媒体搬入口３３から放出されたとしても、上記したように、本実施例の正面ガイド板３１ａと背面ガイド板３１ｂとの間の距離Ｌ２は、想定される最も長い規格外の払込書Ｓｇの長さに所定の余裕代を加えた距離で形成されているので、最上位の払込書Ｓ上に落下した規格外の払込書Ｓｇの中央部が天板３１ｄ側に凸の湾曲をすることはなく、湾曲した払込書Ｓｇの頂部がフル検出レバー４３の検出部４３ａを押上げることによるフル状態の誤検出を防止することができる。
【００８３】
上記のように、本実施例では、正面ガイド板３１ａ側の、フィードローラ３６と底板３１ｅとの間に正面ガイド板３１ａとガード部４１のガード面とによる規格外の払込書Ｓｇの収納を可能にする凹部を形成したので、規格外の払込書Ｓｇが搬入されたとしても、その払込書Ｓｇを平坦な状態で底板３１ｅ上に直接収納することができ、フル状態の誤検出による現金自動預払機の停止を防止して、払込書Ｓによる払込取引を可能にした現金自動預払機の可動効率を向上させることができる。
【００８４】
なお、規格外の払込書Ｓｇの収納を可能とするために、背面ガイド板３１ｂを後退させて収納空間３４を拡げることも考えられるが、このようにすると、収納空間３４内に放出された規格内の払込書Ｓの前端が背面ガイド板３１ｂに衝突したときに、その後端部を舌片３８ａの先端部で叩くことができなくなる場合があるので、好ましくない。
【００８５】
以上説明したように、本実施例では、正面ガイド板と、背面ガイド板と、一対の側板と、天板と、底板とで収納空間を形成した筐体と、正面ガイド板に設けられた媒体搬入口に配置されたフィードローラと、フィードローラの天板側に対向配置されたプレッシャローラと、払込書の搬入方向の直交方向である軸方向に配置されたフィードローラの回転軸に固定され、複数の舌片が埴設された舌片ローラとを有する集積機構とを備え、底板上に払込書を厚さ方向に直接積み重ねて収納する媒体収納構造において、フィードローラの背面ガイド板側の外周面を、正面ガイド板から収納空間内に突出させ、収納空間内に突出させた突出部のフィードローラの軸方向の両側に、突出部の外周面より収納空間側に配置されたガード面を有するガード部を設けたので、フィードローラと底板との間に、正面ガイド板とガード部のガード面とによって規格公差の上限を超える規格外の払込書Ｓｇの収納を可能にする凹部を形成することができ、規格外の払込書Ｓｇが搬入されたとしても、その払込書Ｓｇを平坦な状態で底板上に直接収納することが可能になり、フル状態の誤検出による現金自動預払機の停止を防止して、払込書Ｓによる払込取引を可能にした現金自動預払機の可動効率を向上させることができる。
【００８６】
また、本実施例の媒体収納構造を有する媒体収納庫を備えた媒体処理ユニットは、特別な昇降装置を用いなくとも、その媒体収納庫に規格外の払込書Ｓｇを含む払込書Ｓを平坦な状態で収納することができ、媒体処理ユニットの小型化を図ることができる。
【符号の説明】
【００８７】
１    現金自動預払機
２    操作表示部
３    カードユニット
４    通帳ユニット
４ａ  通帳吸排口
５    紙幣ユニット
６    硬貨ユニット
７    媒体処理ユニット
７ａ  媒体挿入口
１０  シャッタ
１１  幅寄せ部
１２  読取書込部
１３、２２、２７  搬送ローラ
１４  通帳搬送路
１５  ページめくり部
１６  ページマーク読取部
１８  印字ユニット
１９  印字搬送路
２０  印字ヘッド
２１  プラテン
２３  通帳回収部
２５  スキャナ部
２６ａ、２６ｂ  媒体収納庫
２８  媒体搬送路
２９ａ〜２９ｄ  切替ブレード
３１  筐体
３１ａ  正面ガイド板
３１ｂ  背面ガイド板
３１ｃ  側板
３１ｄ  天板
３１ｅ  底板
３２  搬送ガイド
３２ａ  下ガイド板
３２ｂ  上ガイド板
３３  媒体搬入口
３４  収納空間
３５  集積機構
３６  フィードローラ
３６ａ、３７ａ  回転軸
３７  プレッシャローラ
３８  舌片ローラ
３８ａ  舌片
４１  ガード部
４１ａ  対向面
４３  フル検出レバー
４３ａ  検出部
４３ｂ  検出板
４４  回転支点
４４ａ  支持部材
４５  窓部
４５ａ  支持部
４６  フル検出センサ
５０  逆流防止レバー
５０ａ  係止部
５０ｂ  受部
５１  ストッパ
５２  切欠部
【図１】
0005458878.tif 000002
【図２】
0005458878.tif 000003
【図３】
0005458878.tif 000004
【図４】
0005458878.tif 000005
【図５】
0005458878.tif 000006
【図６】
0005458878.tif 000007
【図７】
0005458878.tif 000008
【図８】
0005458878.tif 000009
【図９】
0005458878.tif 000010